(57)【特許請求の範囲】
【請求項１】
手術コンソールにおいて、
前記手術コンソールに動作可能に結合された装置の動作を制御するべく動作可能な処理モジュールと、
前記処理モジュールに動作可能に結合された少なくとも１つのメモリ装置であって、コンテンツを保存するべく動作可能である少なくとも１つのメモリ装置と、
再生のために前記メモリ装置上においてコンテンツを選択し、且つ前記選択したコンテンツを再生する動作を可能にするユーザーインターフェースと、
を備え、
前記処理モジュールは、手術手順と関連した動作パラメータ及び／又は手術モードが注意を要する異常状態を示すときに、前記手術手順における前記選択したコンテンツの再生を中断するべく動作可能である
ことを特徴とする手術コンソール。
【請求項２】
前記処理モジュールに動作可能に結合された外部インターフェースを更に有し、該外部インターフェースは、前記手術コンソールを外部媒体源にインターフェースさせるべく動作可能である請求項１に記載の手術コンソール。
【請求項３】
前記外部媒体源は、コンパクトディスクプレーヤー、ＤＶＤプレーヤー、又はｍｐ３プレーヤーであり、且つ前記外部媒体源は、手術コンソールの出力装置を介してコンテンツを再生するべく動作可能である請求項２に記載の手術コンソール。
【請求項４】
前記手術コンソールの出力装置は、手術コンソールのスピーカーである請求項３に記載の手術コンソール。
【請求項５】
前記処理モジュールは、手術手順と関連した動作パラメータ及び手術モードを監視するべく動作可能である請求項１に記載の手術コンソール。
【請求項６】
前記処理モジュールは、前記手術コンソールに動作可能に結合された装置の動作モードを変更するか又は前記手術コンソールに動作可能に結合された装置の周辺装置の動作パラメータを変更するべく動作可能である請求項１に記載の手術コンソール。
【請求項７】
前記処理モジュールは、手術手順における前記選択したマルチメディアコンテンツの再生を中断するべく動作可能である請求項１に記載の手術コンソール。
【請求項８】
手術コンソールにおいて、
前記手術コンソールに動作可能に結合された周辺装置の動作を制御し、且つ手術手順と関連した動作パラメータ及び手術モードを監視するべく動作可能な処理モジュールと、
前記処理モジュールに動作可能に結合された少なくとも１つのメモリ装置であって、手術手順及びマルチメディアコンテンツを保存するべく動作可能である少なくとも１つのメモリ装置と、
前記処理モジュールに動作可能に結合された外部インターフェースであって、前記手術コンソールを外部マルチメディア源にインターフェースさせるべく動作可能である外部インターフェースと、
操作者が、手術手順のために前記手術コンソールを初期化し、実行対象の前記手術手順を選択し、前記選択した手術手順を再生し、再生のためのマルチメディアコンテンツを選択し、且つ前記選択したマルチメディアコンテンツを再生できるようにするユーザーインターフェースと、
を備え、
前記処理モジュールは、手術手順と関連した動作パラメータ及び／又は手術モードが注意を要する異常状態を示すときに、前記手術手順における前記選択されたマルチメディアコンテンツの再生を中断するべく動作可能である
ことを特徴とする手術コンソール。
【請求項９】
前記処理モジュールは、前記手術コンソールに動作可能に結合された装置の動作モードを変更するか又は前記手術コンソールに動作可能に結合された装置の周辺装置の動作パラメータを変更するべく動作可能である請求項８に記載の手術コンソール。
【請求項１０】
前記手術手順は、眼科手術手順である請求項８に記載の手術コンソール。
【請求項１１】
前記手術手順と関連した前記動作パラメータ及び手術モードは、前記手術コンソールに動作可能に結合された手術周辺装置と関連した空圧的及び電子的パラメータを備える請求項８に記載の手術コンソール。
【発明の詳細な説明】
【技術分野】
【０００１】
本発明は、一般に手術コンソールシステム及び方法に関し、更に詳しくは、手術環境においてマルチメディアコンテンツを再生するシステム及び方法に関する。
【背景技術】
【０００２】
人間の眼は、軽度な劣化から視力の完全な喪失までを引き起こす多数の疾病を経験可能である。コンタクトレンズ及び眼鏡は、いくつかの軽度な疾病を補償可能ではあるが、その他の疾病については、眼科手術が必要である。一般に、眼科手術は、硝子体網膜手術などの後部セグメント手順と、白内障手術などの前部セグメント手順と、に分類される。最近では、組み合わせ型の前部及び後部セグメント手順が開発されている。
【０００３】
現代の手術、特に眼科手術においては、外科医は、様々な空圧型及び電気駆動型の微細手術ハンドピースを使用可能である。これらのハンドピースは、通常、フットペダルコントローラ、赤外線遠隔制御装置、及びメニュー駆動型のタッチスクリーンなどの様々な周辺装置によって外科医又は助手から入力を受け取るマイクロプロセッサ駆動型の手術コンソールによって稼働している。このような微細手術コンソールの１つが特許文献１に記述されており、この内容は、本引用により、そのすべてが本明細書に包含される。手術コンソールにより、外科医は、手術動作パラメータを手作業で入力すると共に、これらの「カスタマイズ」されたパラメータを将来使用するべくコンソールメモリ内に保存可能である。通常、動作パラメータ及び方法は、例えば、キーパッド又はタッチスクリーンなどを使用して手作業で入力されるか、或いは、手作業でパラメータが入力された別のコンソールからダウンロードされる。
【０００４】
手術環境においては、手術環境内の手術要員は、通常、時間を快適に過ごし、且つ、彼ら自身及び患者に鎮静的又は娯楽的なバックグラウンド音響を提供するための手段として、手術室内において、音楽を再生するか又はなんらかのその他の形態のマルチメディアコンテンツを再生する。通常、音楽又はマルチメディアコンテンツは、この目的にとりわけ適し、且つ、装置の付加物として手術室内に持ち込まれた別個の装置を使用して再生される。この結果、手術室内が乱雑になると共に、音楽又はその他のコンテンツを変更、開始、又は停止することが望ましい際に、潜在的に注意力が散漫になる。更には、手術手順においては、様々な警報が眼科手術コンソールの動作と関連可能である。バックグラウンドミュージックが別個の再生装置を使用して再生される際には、手術チームは、これらの警報の聴取に困難を経験することになろう。
【先行技術文献】
【特許文献】
【０００５】
【特許文献１】米国特許第５，４５５，７６６号明細書
【発明の概要】
【発明が解決しようとする課題】
【０００６】
従って、手術手順を円滑に実行するべく使用可能な様々なマルチメディアファイル（コンテンツ）の再生を実現する手術コンソールに対するニーズが存在している。
【課題を解決するための手段】
【０００７】
本発明のマルチメディアコンテンツを再生するべく動作可能な手術コンソールの実施例は、これらのニーズ及びその他のものを実質的に満足する。本発明の実施例は、手術手順の前、最中、及び後に手術チームに対して提供可能なマルチメディアコンテンツ（即ち、オーディオ及びビデオ）を再生、保存、アクセス、及び取得するべく動作可能な手術コンソールを提供する。具体的には、オーディオ再生機能は、手術室内においてバックグラウンドミュージックを再生し、鎮静的及び／又は娯楽的なバックグラウンドを手術チーム及び／又は患者に対して提供する手段を提供可能である。更には、オーディオ及びビデオ再生は、眼科手術において使用される手術カセット、ハンドピース、及びその他の消耗品の準備の段階的な説明を提供することも可能である。
【０００８】
本発明の手術コンソールの一実施例は、手術システム（コンソール）において、マスストレージ装置からマルチメディアコンテンツを受信する手段を包含可能である。このマルチメディアコンテンツは、バックグラウンドミュージックなどの娯楽目的のオーディオ及び／又はビデオ、又は消耗品情報に基づいて消耗品をセットアップする際の１つ又は複数の段階を説明するオーディオ／ビデオを包含可能である。本発明の別の実施例は、ビデオクリップ又はその他の適切なメディアファイルを表示する能力を有する手術システムに関係している。ビデオクリップは、ユーザーによってスキャン又は選択可能な、或いは、その他の方法で手術システムによって認識可能な消耗品又は消耗品パックに対応可能である。セットアップ手順を示すビデオクリップは、１つ又は複数の方法によって（例えば、オーディオ、テキスト、グラフィックなどを伴って、又は伴うことなしに）表示可能である。一実施例による手術システムは、ディスプレイ、認識装置、及び前述のディスプレイ及び前述の認識装置に動作可能に結合されたコントローラを包含可能であり、この場合に、前述のコントローラは、プロセッサと、前述のプロセッサによって実行可能なプログラム命令を保持するコンピュータ可読媒体と、を有する。プログラム命令は、消耗品の組を含む第１消耗品パックの識別情報を受信するコードと、前述の消耗品の組と関連する消耗品情報を自動的に取得するコードと、前述の消耗品情報に基づいて前述の手術システムの設定を更新するコードと、消耗品の組をセットアップする際の段階の組を示す少なくとも１つのビデオを有するコンテンツを前述のディスプレイ上において表示するコードと、を有することができる。
【０００９】
本発明の実施例においては、ビデオクリップ又はその他の適切なメディアファイルの制御は、ユーザーの様々なニーズ、知識、及び／又は技術レベルに適するように適合可能である。一実施例においては、手術システムは、高機能、オーディオ、ビデオ、及びウィザードという複数のモードを提供可能である。モードのいずれかのものを既定のモードとして設定可能である。第１モードにおいては、ユーザーは、オーディオ／ビデオクリップの再生を完全にスキップし、特定の装置又は消耗品に関係する所望のポイント又はトピックに単純にジャンプ又はこれを選択可能である。第２モードにおいては、ユーザーは、中断を伴うことなしに１つ又は複数のクリップ又はファイル（オーディオ及び／又はビデオ）の全体を再生するべく選択可能である。第３（例えば、ウィザード）モードにおいては、段階ごとの命令が表示され、且つ、任意選択により、予め定義されたセットアップシーケンスにおける次の段階に進むべく、それぞれの段階の完了時点においてアクノリッジするようにユーザーに要求可能である。
【００１０】
本発明の実施例によって提供される利点は、手順においてバックグラウンドミュージックなどのオーディオ又はその他のコンテンツを手術環境において再生するための更に便利なシステム及びインターフェースを提供することに関係している。この利点を提供するべく動作可能な本発明の実施例は、当業者には周知のコンパクトディスクプレーヤー、ＤＶＤプレーヤー、ｍｐ３プレーヤー、又はその他のこのようなオーディオ／ビデオプレーヤーにおいて一般に見出されるインターフェースなどのインターフェースを含む手術コンソールを有することができる。更には、実施例は、外部プレーヤーを手術コンソールに接続して選択されたオーディオ又はその他のマルチメディアコンテンツを手術コンソールを通じて再生するべく動作可能な入力を包含可能である。
【００１１】
本発明の実施例によって提供される更に別の利点は、ユーザーによる複雑な眼科手術計測器及びこれと関連する消耗品のセットアップを円滑に実行する手術システムの能力に関係している。
【００１２】
本発明の実施例によって提供される更に別の利点は、複雑な眼科手術計測器及びこれに関係する消耗品のセットアップにおいて様々な技術レベルを有する多様なユーザーを支援し、且つ、手順を実行可能な落ち着いた環境を確立する手術システムの柔軟性に関係している。
【００１３】
本発明のその他の利点は、「図面の簡単な説明」の節に記述された図面との関連において本明細書に記述された好適な実施例の詳細な説明を参照及び理解することにより、当業者に明らかとなろう。
【００１４】
以下、本発明及びその利点を更に十分に理解できるように、類似の参照符号によって類似の特徴を示している添付図面との関連において以下に説明する。
【図面の簡単な説明】
【００１５】
【図１】本発明の実施例と共に使用可能な１つの手術コンソールの斜視図である。
【図２】本発明の実施例による１つの手術コンソールの機能ブロック図である。
【図３】本発明の実施例による１つの手術コンソールの斜視図である。
【図４】本発明の実施例による１つの手術コンソールの手術カセット受容部の斜視図である。
【図５】本発明の実施例による手術コンソールが利用する手術カセットの一実施例の概略図である。
【図６】手術手順において、オーディオファイル、ＭＰ３ファイル、又はその他のオーディオコンテンツなどのマルチメディアコンテンツファイルの再生を実現する本発明の一実施例と関連したロジックフローチャートである。
【図７】記録された手術手順の実行及び手術手順におけるオーディオファイル、ＭＰ３ファイル、又はその他のオーディオコンテンツなどのマルチメディアコンテンツファイルの再生を実現する本発明の一実施例と関連したロジックフローチャートである。
【発明を実施するための形態】
【００１６】
本発明の好適な実施例は、添付図面に示されており、様々な図面の類似の又は対応する部分を示すべく、類似の符号が使用されている。
【００１７】
本発明の実施例によって提供されるオーディオ及び／又はマルチメディア再生装置は、図１において示されるように、Ｓｅｒｉｅｓ  ２０００（登録商標）  Ｌｅｇａｃｙ（登録商標）白内障手術システム、Ｉｎｆｉｎｉｔｉ（商標）  Ｖｉｓｉｏｎ  Ｓｙｓｔｅｍ手術システム、又はＡｃｃｕｒｕｓ（登録商標）  ４００ＶＳ手術システムなどの、但し、これらに限定されない任意の適切な手術コンソールの一部として実装可能である。これらのコンソールは、Ｆｏｒｔ  Ｗｏｒｔｈ，  Ｔｅｘａｓに所在するＡｌｃｏｎ  Ｌａｂｏｒａｔｏｒｉｅｓ，  Ｉｎｃ．社から市販されている。例えば、これらのコンソールは、手術コンソールからアクセス可能なメモリ又はストレージ装置内に保存された様々なマルチメディアファイルに対するアクセスを提供可能である。同様に、コンパクトディスク、携帯型メモリ装置、ＤＶＤ、又はｍｐ３プレーヤーなどの外部媒体に保存されたオーディオ又はマルチメディアコンテンツも、本発明の手術コンソールの実施例を通じて再生可能である。
【００１８】
図１は、本発明による手術コンソール１０の図である。微細手術コンソール１０は、フットペダルアセンブリや図示されてはいないその他のプッシュボタンタイプのアセンブリなどのいくつかのユーザーインターフェース１２と、微細手術周辺装置１４と、に動作可能に結合可能である。コンソール１０により、外科医などの操作者は、初期動作パラメータ及びモードをコンソール内において設定することにより、手術手順を開始可能である。これは、操作者がユーザーインターフェース１２又はフロントパネル１６上に提供されたその他のインターフェースを通じて手術コンソールとインターフェースできるようにすることにより、実行可能である。これらは、電子表示画面１７、複数のプッシュボタンスイッチ又は接触感知パッド１８、複数のエンドレスデジタルポテンショメーターノブ２０、又は当業者には既知のその他の類似のインターフェースを包含可能である。プッシュボタン１８及びノブ２０は、様々な異なる動作モード及び機能にアクセスするべく、操作者によって起動可能である。又、コンソール１０は、カセットテープ、メモリカード、フロッピー（登録商標）ディスク、コンパクトディスク（ＣＤ）、デジタルビデオディスク（ＤＶＤ）、又は当業者には既知のその他の類似の装置などのストレージ媒体を受け入れる能力を含むことも可能である。
【００１９】
電子表示画面１７は、処理モジュールによって制御可能であり、処理モジュールは、様々なプッシュボタン１８及びノブ２０の機能及び動作と関係した１つ又は複数の異なるメニュー又はメッセージに操作者がアクセスできるようにしている。一実施例においては、表示画面１７は、個々のプッシュボタン１８と関連付けられた表示画面領域に分割可能である。この構成によれば、それぞれのボタン１８又はノブ２０の表示された機能を容易に変更可能である。更には、電子表示画面１７を使用することにより、ボタン１８及びノブ２０に対して実質的に任意の言語においてラベル付けすることも可能である。
【００２０】
微細手術コンソール１０は、いくつかの異なる手術装置（即ち、微細手術周辺装置１４）と共に使用されるべく適合可能である。例えば、これらは、光ファイバ照明装置、断片乳化装置（ｆｒａｇｍｅｎｔａｔｉｏｎ  ｅｍｕｌｓｉｆｉｃａｔｉｏｎ  ｉｎｓｔｒｕｍｅｎｔ）、硝子体除去手順用のギロチンカッターなどの切断装置、及び／又は比例した複数の切断用の微細な鋏インセット（ｍｉｃｒｏ−ｓｃｉｓｓｏｒｓ  ｉｎｓｅｔ）を包含可能である。以上において識別された微細手術装置は、例示を目的として提供されたものであり、微細手術コンソール１０は、その他の類似の装備を有する装置と共に使用可能であることを理解されたい。
【００２１】
一般に、空圧的又は電子的信号によって作動及び制御される任意の微細手術装置は、コンソール１０に対して動作可能に結合可能であると共に、これによって制御可能である。この制御又は作動は、当業者には既知の空圧的、電子的、光学的、又はその他の類似の信号によって管理可能であり、この場合に、これらの信号は、コンソール１０によって生成又は供給される。コンソール１０に結合するこれらの図示の微細手術装置のそれぞれのものは、微細手術コンソール１０によって提供される異なる設定又はパラメータを必要とし得る異なる動作モードを具備可能である。手術手順の特定の段階と関連付けられたこれらの動作パラメータ及び手術モードをメモリ内に保存し、これにより、手術手順のそれぞれの段階についてこれらの装置を手術コンソール１０を介して手作業で初期化するというしばしば退屈又は面倒なプロセスを除去することにより、微細手術周辺装置１４のセットアップが円滑に実行される。
【００２２】
操作者／外科医が手術手順を進めるのに伴って、動作モード及び周辺装置動作パラメータに対する適切な変更がコンソールメモリからアクセスされ、且つ、これらの変更を使用して、全体的な手術手順における個々の段階について微細手術装置が初期化又はセットアップされる。手術手順の完了の際に、完了した手術手順を、コンソール１０に結合されたメモリ内に、記録された手順として保存可能である。手術コンソール１０内においては、処理モジュールがメモリに結合されており、この場合に、処理モジュールは、本明細書のロジックフローチャートに示されている段階を実行するべく動作可能であることに留意されたい。
【００２３】
更には、手術コンソール１０は、マイクロフォン及び／又はスピーカー２２を包含可能である。更には、手術コンソール１０は、マスストレージ装置２４に結合することも可能である。このマスストレージ装置は、ＭＰ３プレーヤーなどの外部デジタル再生装置、微細手術コンソール１０の外部又は微細手術コンソール１０の内部のコンパクトディスク、デジタルビデオディスク、又は微細手術コンソール１０を使用して提示されるマルチメディア情報の取得をサポート可能であるその他のマスストレージ装置の形態であってよい。マルチメディアの取得及び再生は、表示画面１７及び関連するボタン１８を通じて、或いは、情報の再生と関連する特定の機能に関係した専用のボタン１８及びノブ２０を通じて、実施可能である。
【００２４】
図２は、本発明の手術コンソール１０内に配置可能な様々な機能モジュールのブロック図を示している。コンソール１０のホストマルチメディアモジュール３０は、機能的に、処理モジュール３２、入出力（Ｉ／Ｏ）インターフェース印刷回路基板（ＰＣＢ）３４に供給される電力信号５２、マスストレージ装置３６、３８、及び４０、１つ又は複数のスピーカー４６、ディスプレイインターフェース５０、拡張パネル４２、及びオーディオ入力に対する外部接続を包含可能である。インターフェースＰＣＢ３４は、オーディオ出力５８、電力出力５９（機能的に、電力出力５９Ａ〜５９Ｅとして分配されている）、及び１つ又は複数のオーディオ入力５４を包含可能である。
【００２５】
インターフェースＰＣＢ３４は、外部又は内部電源５３（図示されてはいない）に結合されている。この結果、インターフェースＰＣＢ３４は、手術コンソール１０の様々なその他の機能要素に含まれた様々なその他の要素に対して電力を分配可能である。例えば、電力は、接続５９Ａ、５９Ｂ、５９Ｃ、５９Ｄ、及び５９Ｅを通じて、必要に応じて、処理モジュール３２、マスストレージ装置３６〜４０、拡張パネル４２、及び手術コンソール１０内のその他の機能ユニットに分配可能である。更には、インターフェースＰＣＢ３４は、オーディオ信号を受信するための外部接続、又はインターフェースＰＣＢ３４がオーディオ出力ポート５８及びスピーカー４６にルーティング可能なオーディオ信号を供給する処理システム３２に対する接続用であってよいオーディオポート５４を通じてオーディオ信号を受信可能である。マスストレージ装置３６〜４０は、ハードドライブ、ＤＶＤドライブ、ＣＤドライブ、及びその他の類似のドライブを更に包含可能である。
【００２６】
電力は、インターフェースＰＣＢ３４により、これらのマスストレージ装置に供給されており、この場合に、その内部に含まれたマルチメディアコンテンツ又はその内部に含まれたその他の情報には、処理モジュール３２に対する様々なインターフェースを通じてアクセス可能であり、且つ、次いで、これらを、例えば、インターフェースＰＣＢ３４などを通じて手術コンソールの適切な再生部分に対してルーティング可能である。例えば、ＭＰ３ファイル、ｗａｖｅファイル、又はその他の類似のファイルなどのデジタルオーディオファイルの場合には、オーディオ信号をスピーカーに、そして、ビデオ又は画像コンテンツの場合には、ディスプレイモジュール１７に、ルーティング可能である。従って、インターフェースＰＣＢ３４は、手術手順における再生の対象であるマルチメディアファイルを包含可能な内部マスストレージ装置３６〜４０からのオーディオ又はビデオファイルを処理及び再生可能である。又、ＭＰ３プレーヤー、ＣＤプレーヤー、又はＤＶＤプレーヤーなどの、但し、これらに限定されない外部マルチメディア再生装置をインターフェースＰＣＢ３４に結合することも可能であり、この結果、これらの外部マルチメディア再生装置は、オーディオ及び／又はビデオ信号をインターフェースＰＣＢ３４に供給可能であり、次いで、これらの信号は、処理モジュール３２を使用して処理され、且つ、スピーカー４６又はディスプレイモジュール１７などの適切な再生手段を使用して提示可能である。更には、キーボードやマウスなどの制御装置をユーザーインターフェースとしてインターフェースＰＣＢ３４に結合し、マルチメディアファイルの再生を制御することも可能である。或いは、この代わりに、ディスプレイ１７内に提示される定義された機能を具備可能なボタン１８及び／又はノブ２０などのネイティブ制御装置を使用し、マルチメディアコンテンツの再生を制御することも可能である。
【００２７】
処理モジュール３２は、単一の処理装置又は複数の処理装置であってよい。このような処理装置は、マイクロプロセッサ、マイクロコントローラ、デジタル信号プロセッサ、マイクロコンピュータ、中央処理装置、フィールドプログラマブルゲートアレイ、プログラマブル論理装置、状態機械、論理回路、アナログ回路、デジタル回路、及び／又は動作命令に基づいて信号（アナログ及び／又はデジタル）を操作する装置であってよい。内部マスストレージ装置３６〜４０などのメモリは、単一のメモリ装置又は複数のメモリ装置であってよい。このようなメモリ装置は、読み出し専用メモリ、ランダムアクセスメモリ、揮発性メモリ、不揮発性メモリ、スタティックメモリ、ダイナミックメモリ、フラッシュメモリ、キャッシュメモリ、及び／又はデジタル情報を保存する任意の装置であってよい。処理モジュール３２が状態機械、アナログ回路、デジタル回路、及び／又は論理回路を介してその機能の１つ又は複数のものを実装する際には、対応する動作命令を保存するメモリを状態機械、アナログ回路、デジタル回路、及び／又は論理回路を有する回路内に又はこの外部に埋め込み可能であることに留意されたい。メモリは、図面に示されている段階及び／又は機能の少なくともいくつかのものに対応した動作命令を保存し、処理モジュールが、これらの動作命令を実行する。
【００２８】
図３〜図５は、手術システム及び関係する消耗品の一例を示しており、関連する消耗品は、この場合には、カセットである。これらの図面は、本発明の実施例を実装可能な手術環境を例示している。手術コンソールは、手術手順の実行の前にセットアップを必要とし得るいくつかの消耗品と協働することを図３〜図５から観察可能である。本発明の実施例は、手術手順を円滑に実行するシステム及び方法を提供しており、ビデオ及びマルチメディアコンテンツが、手術コンソール上において表示されるか、又は手術コンソールによって再生される。更に後述するように、コンソールは、様々なメカニズムを通じて使用される消耗品を認識し、且つ、消耗品のセットアップの際にユーザーを支援するべく、適切なコンテンツをユーザーのために再生可能である。ビデオ及びその他のマルチメディアコンテンツの使用を通じて、本発明は、手術手順を実質的に円滑に実行するか又は以前の方法の欠点を少なくとも実質的に低減するメカニズムを提供する。
【００２９】
本発明の一実施例は、ビデオチップ、オーディオファイル、又はその他の適切なメディアファイルを表示する能力を有する手術システムに関係している。添付の図面に示されており、且つ、以下の説明において詳述される例示用の、且つ、従って、限定を意図してはいない実施例を参照し、本発明と、その様々な特徴及び有利な詳細について更に完全に説明する。既知のプログラミング法、コンピュータソフトウェア、ハードウェア、動作プラットフォーム、及びプロトコルの説明は、発明の詳細を不必要に不明瞭にしないようにするべく、省略される場合がある。但し、詳細な説明及び特定の例は、本発明の好適な実施例を示すものであって、限定としてではなく、例示を目的として付与されることを理解されたい。この開示内容から、基礎を成す発明の概念の精神及び／又は範囲内の様々な置換、変更、追加、及び／又は再構成が当業者に明らかとなろう。
【００３０】
図３は、眼科手術コンソール１００の一実施例の概略図である。手術コンソール１００は、タッチスクリーン１１５を具備した旋回式モニタ１１０を包含可能である。旋回式モニタ１１０は、タッチスクリーン１１５を観察することが必要なすべての人々のために様々な向きにおいて配置可能である。旋回式モニタ１１０は、左右にスイング可能であり、且つ、回転及び傾斜可能である。タッチスクリーン１１５は、ユーザーがコンソール１００とやり取りすることを実現するグラフィカルユーザーインターフェース（「ＧＵＩ」）を提供する。
【００３１】
又、手術コンソール１００は、様々なツール及び消耗品を手術コンソール１００に接続するべく使用される接続パネル１２０をも含む。接続パネル１２０は、例えば、凝固コネクタ（ｃｏａｇｕｌａｔｉｏｎ  ｃｏｎｎｅｃｔｏｒ）、平衡型塩溶液受容器（ｂａｌａｎｃｅｄ  ｓａｌｔ  ｓｏｌｕｔｉｏｎ  ｒｅｃｅｉｖｅｒ）、様々なハンドピース用のコネクタ、及び流体管理システム（Ｆｕｉｌｄ  Ｍａｎａｇｅｍｅｎｔ  Ｓｙｓｔｅｍ：「ＦＭＳ」）又はカセット受容部１２５を包含可能である。又、手術コンソール１００は、フットペダル制御装置（例えば、パネル１３０の背後に収納されたもの）及びその他の特徴などの様々なユーザーフレンドリーな特徴を含むことも可能である。動作の際には、カセット（図示されてはいない）をカセット受容部１２５内に配置可能である。手術コンソール１００内のクランプは、カセットを定位置にクランプし、使用の際のカセットの動きを極小化する。クランプは、カセットの上部及び底部をクランプするか、カセットの側部をクランプするか、或いは、その他の方式によってカセットをクランプ可能である。
【００３２】
手術コンソール１００は、一例として提供されたものであり、従って、本発明の実施例は、様々な手術システムと共に実装可能である。本発明の様々な実施例によるカセットを使用可能な例示用の手術システムは、例えば、Ｓｅｒｉｅｓ  ２０００（登録商標）  Ｌｅｇａｃｙ（登録商標）白内障手術システム、Ａｃｃｕｒｕｓ（登録商標）  ４００ＶＳ手術システム、及びＩｎｆｉｎｉｔｉ（商標）  Ｖｉｓｉｏｎ  Ｓｙｓｔｅｍ手術システムを含み、これらは、いずれも、Ｆｏｒｔ  Ｗｏｒｔｈ，  Ｔｅｘａｓに所在するＡｌｃｏｎ  Ｌａｂｏｒａｔｏｒｉｅｓ  Ｉｎｃ．社から入手可能である。更には、本発明の実施例は、様々な手術カセットと共に使用可能であり、これらの例は、米国特許出願公開第２００５／０１８６０９８号（Ｄａｖｉｓ他に対する特許出願第１１／１１４，２８９号）、第２００４／０２５３１２９号（Ｓｏｒｅｎｓｅｎ他に対する特許出願第１０／８９１，６４２号）、第２００５／００６５４６２号（Ｎａｚａｒｉｆａｒ他に対する特許出願第１０／９７９，４３３号）、第２００３／０２２５３６３号（Ｇｏｒｄｏｎ他に対する特許出願第１０／１５６，１７５号）、第２００１／００１６７１１号（Ｓｏｒｅｎｓｅｎ他に対する特許出願第０９／８４６，７２４号）、並びに、Ｓｏｒｅｎｓｅｎ他に対する米国特許第６，２９３，９２６号、Ｃｏｏｋに対する第４，４９３，６９５号、Ｃｏｏｋに対する第４，６２７，８３３号、Ｗａｎｇ他に対する第４，３９５，２５８号、Ｓｔｅｐｐｅ他に対する第４，７１３，０５１号、ＤｅＭｅｏ他に対する第４，７９８，８５０号、Ｓｕｎｄｂｌｏｍ他に対する第４，７５８，２３８号、Ｓｕｎｄｂｌｏｍ他に対する第４，７９０，８１６号、Ｃｏｌｅ他に対する第６，０３６，４５８号、及びＪｕｎｇ他に対する第６，０５９，５４４号に記述されており、このそれぞれのものは、本引用により、そのすべてが本明細書に包含される。当業者には理解されるように、本発明の実施例は、その他の適切な手術システム及びカセットについても実装可能である。
【００３３】
図４は、カセットを伴わないカセット受容部１２５の一実施例の概略図である。カセット受容部１２５は、手術カセットから流体（即ち、液体及びガス）を取得するための様々な入／出力ポート（総合的に参照符号１３５によって示されている）を具備可能である。カセット受容部１２５は、動作の際に蠕動ポンプローラー１４０が手術カセットに接触できるようにするための開口部を更に包含可能である。蠕動ポンプ及び相補的なカセットの一実施例は、Ｓｏｒｅｎｓｅｎに対する米国特許第６，２９３，９２６号に記述されており、この内容は、本引用により、そのすべてが本明細書に包含される。
【００３４】
図４の実施例における手術カセットは、底部レール１４２及び上部レール（図示されてはいない）を具備したクランプによって定位置に保持される。それぞれのレールは、対応するクランピングゾーン内においてカセットに接触するクランピングフィンガ（例えば、クランプフィンガ１４４）を具備可能である。手術カセットクランプの一実施例は、米国特許出願公開第２００３／０２０２８９４号（Ｌｅｕｋａｎｅｃｈ他に対する第１０／１３２，７９７号）に記述されており、この内容は、本引用により、そのすべてが本明細書に包含される。解放ボタン１４５を押下し、クランプからのカセットの解放を起動する。手術コンソール１００に応じて、カセットの解放プロセスは、圧力又は流体の排出、クランプの係合解除、又はその他の段階を含むいくつかの段階を包含可能である。図４の構成は、一例として提供されたものである。カセット受容部１２５のフォームファクタ、入出力ポートの配置及び数、並びに、カセット受容部１２５のその他の特徴は、手術コンソール１００、実行対象の手術手順、又はその他のファクタに依存可能である。
【００３５】
図５は、手術カセット１５０の一実施例の概略図である。カセット１５０は、手術手順の後に破棄可能な閉鎖システム型の流体装置を提供可能である。カセット１５０は、カセット本体１５５と、カセット本体１５５から突出した（例えば、クランピングゾーン１６０及び１６５において総合的に示された）クランプ受容部分を包含可能である。図示の実施例においては、カセット１５０は、カセット１５０が手術コンソール１００内に挿入された際に手術コンソールと対向する内部又は手術コンソールインターフェースセクション１７０、中間セクション１７５、及び背面プレート１８０という３つの主要なセクションから形成されている。カセット１５０の様々なセクションは、圧力ばめ、インターロッキングタブ、化学接合、熱接合、機械的留め具、又は当技術分野において既知のその他の装着メカニズムを介して、１つに結合可能である。
【００３６】
手術コンソールインターフェースセクション１７０は、流体フローチャネル（例えば、エラストマーポンプメンブレインによって提供された蠕動ポンプ用のフローチャネル１７７）、バルブ（例えば、注水／吸引バルブ）、圧力センサ、及び流体フローを管理するためのその他の特徴用のインターフェースを提供可能である。又、カセット１５０は、手順において流体を収集するための流体バッグ（図示されてはいない）にも装着可能である。
【００３７】
図６は、手術手順においてオーディオファイル、ＭＰ３ファイル、又はその他のオーディオコンテンツなどのマルチメディアコンテンツファイルの再生を実現する本発明の一実施例と関連したロジックフローチャートを提供している。手術手順の通常の動作において、手術チームの一人のメンバは、段階２０２において、表示用のマルチメディアコンテンツを選択可能である（即ち、ユーザーは、手術手順において再生する対象の一連のオーディオファイルを選択可能である）。これらのファイル又は供給源は、内部又は外部源から選択された後に、段階２０４において、手術コンソールのスピーカー又は手術コンソールに結合されたスピーカーを使用して手術室／チームに対して提供可能である。手術コンソールの処理システムは、手術手順と関連した動作パラメータを継続的に監視可能である。判定ポイント２０６において、手術チームの注意を必要とする状態に関する警報を手術チームに発行することを必要とする割り込み状態が存在しているかどうかについての判定を継続的に実施している。この割り込み又は警報は、特定の段階、特定のパラメータ、又は手術手順のパラメータに関連した異常について手術チームに通知する。このような割り込み状態が存在していない場合には、段階２０４に戻ることにより、再生を継続可能である。そうでなければ、段階２０８において、手術コンソールは、選択されたマルチメディアコンテンツの再生を中断し、且つ、手術チームに対して割り込みを発行して手術手順に関連した特定の状態について手術チームに通知可能である。
【００３８】
既存の手術コンソールは、手術手順においてバックグラウンドオーディオファイルを再生する能力を提供してはいない。従って、手術チームは、しばしば、別個の再生装置を使用して、手術手順においてバックグラウンドミュージックを提供している。しかしながら、手術室内におけるその他のオーディオ装置の再生に起因し、可聴警報又は状態を既存の手術コンソール上において聴取することができない場合には、重要なデータ又は動作パラメータの変化に対してタイムリーに対応不可能である。本発明の実施例は、選択されたマルチメディアファイル又は手術コンソールを通じてルーティングされたその他のコンテンツの再生を提供し、手術チームが動作パラメータの変化について警告されることを保証している。これは、従来技術の手術コンソールにおいて提供されている能力と比べて、重要な利点である。
【００３９】
図７は、バックグラウンドマルチメディアを同時に再生するべく動作可能な手術コンソール内において、記録された手術手順を実行可能である一方法を示すロジックフローチャートを提供している。段階３０２において、操作者は、記録された手順を呼び出す。これは、手術コンソール１０の電子表示画面１７、プッシュボタン１８、音声又はオーディオインターフェース、又は当業者には既知のその他の類似した手段などのインターフェースを使用することにより、実行可能である。一実施例によれば、操作者は、利用対象の手術手順の名前と関連付けられたタッチボタンを具体的に押下することにより、記録された手順を呼び出し可能である。同様に、その他のバックグラウンドコンテンツも選択可能である。段階３０４において、コンソールは、予め記録された手術手順を再生しており、この結果、この以前に記録された手術手順をコンソールが再生するのに伴って、この記録された手術手順は、手術コンソールを初期化するべく機能可能であってよい。段階３０６において、操作者は、記録された手順の各段階を進行させる。図６に示されているように、再生における任意の時点において、ユーザーの注意又はアクションが必要である際には、手術コンソールは、選択されたバックグラウンドオーディオコンテンツを中断可能である。これは、音声スイッチなどのユーザーインターフェースを使用して実行可能であり、且つ、選択された手順段階と関連した変化について操作者に通知するべく、オーディオプロンプトによって確認可能である。操作者は、その手術の完了の時点まで（段階３０６及び３０８において）、記録された手術手順の各段階を進行させる。
【００４０】
図７の手順に示されているように、外科医が予め記録された手順の使用を所望する際には、外科医は、記録された手順をコンソール１０のメモリから呼び出し、その手順を初期化する。次いで、記録された手順は、手術フローが必要としているように、コンソール１０の設定及び動作パラメータを自動的に調節可能である。手順の様々な段階のスクローリングは、コンソールのフットスイッチ、遠隔制御装置、又はコンソールタッチスクリーンを使用して実現可能である。命令は、音声確認、視覚確認、或いは、その他のオーディオビシュアル的又は触覚的手段を介して、コンソールによって確認可能である。
【００４１】
当業者であれば理解するように、本明細書に使用されている「実質的に（ｓｕｂｓｔａｎｔｉａｌｌｙ）」又は「略（ａｐｐｒｏｘｉｍａｔｅｌｙ）」という用語は、業界に受け入れられた許容範囲を、その対応する用語に対して提供している。このような業界に受け入れられた許容範囲は、１パーセント〜２０パーセット未満の範囲を有し、且つ、コンポーネント値、集積回路のプロセス変動、温度変動、立ち上がり及び立ち下がり時間、並びに／或いは、熱雑音に対応しているが、これらに限定されるものではない。当業者であれば、更に理解するように、本明細書に使用されている「動作可能に結合された（ｏｐｅｒａｂｌｙ  ｃｏｕｐｌｅｄ）」という用語は、別のコンポーネント、要素、回路、又はモジュールを介した直接的結合及び間接的結合を含み、この場合に、間接的結合の場合には、介在するコンポーネント、要素、回路、又は、モジュールは、信号の情報を変更することはないが、その電流レベル、電圧レベル、及び／又は電力レベルを調節可能である。又、当業者であれば理解するように、推定結合（即ち、１つの要素が別の要素に推定によって結合される場合）も、「動作可能に結合された」と同様に、２つの要素の間における直接的及び間接駅結合を含む。当業者であれば更に理解するように、本明細書に使用されている「有利に比較される（ｃｏｍｐａｒｅｓ  ｆａｖｏｒａｂｌｙ）」という用語は、複数の要素、項目、信号などの間における比較が、望ましい関係を提供することを示している。例えば、望ましい関係が、信号１が信号２を上回る大きさを具備するというものである際には、有利な比較は、信号１の大きさが信号２の大きさを上回っている際に、或いは、信号２の大きさが信号１の大きさを下回っている際に、実現可能である。
【００４２】
以上、本発明について詳述したが、添付の請求項に記述された本発明の精神及び範囲を逸脱することなしに、様々な変更、置換、及び変形を実施可能であることを理解されたい。
【図１】
0005415950.tif 000002
【図２】
0005415950.tif 000003
【図３】
0005415950.tif 000004
【図４】
0005415950.tif 000005
【図５】
0005415950.tif 000006
【図６】
0005415950.tif 000007
【図７】
0005415950.tif 000008